(57)【特許請求の範囲】
【請求項１】
フロントグラスの下方向にシャーシの対向する２縁の間に近接して入り込む凸部を設け、前記フロントグラスを前記凸部がシャーシの前記２縁の間に入り込むようにしてシャーシの上に載置し、前記フロントグラスの少なくとも対向する２縁を全長に亘りシャーシに取付けられるフロントケースとシャーシにより挾持したことを特徴とする電子機器のフロントグラス取付構造。
【請求項２】
フロントグラスとフロントケースとの間にパッキングを介在させた請求項１の電子機器のフロントグラス取付構造。
【請求項３】
ケース内部に配置された光源からケース外部に光を導く光ガイドを前記フロントグラスと一体に形成した請求項１または２の電子機器のフロントグラス取付構造。
【発明の詳細な説明】
【０００１】
【発明の属する技術分野】
この発明は電子機器のフロントグラス取付構造に関する。
【０００２】
【従来の技術】
従来の無線機のフロントグラス取付構造の例を図６に示す。図６に示すフロントグラス２１はケース２０に溶着され、あるい両面テープや接着剤により接着されている。
【０００３】
【発明が解決しようとする課題】
上記した従来の無線機のフロントグラス取付構造によると、使用環境や経年変化でフロントグラス剥がれることがあった。また、フロントグラスが損傷するとケースごと交換する必要があり、資源の無駄となっていた。
【０００４】
さらに、製造工程においても溶着条件の管理、接着剤塗布量の管理等が面倒であり、製造コストが高くなっていた。そして、製造工程での管理が不十分であると、接着不良となりフロントグラスに外力が加わると簡単に外れるようになるという問題があった。
【０００５】
また、落下時等の外力によりケースが捩じれるとフロントグラスが剥がれ、また、フロントグラス内側に配置された表示部（ＬＣＤ）側も破損することがあった。
【０００６】
この発明は上記した点に鑑みてなされたものであって、その目的とするところは、製造工程が簡単であり、フロントグラスが剥がれることのない電子機器のフロントグラス取付構造を提供することにある。
【０００７】
【課題を解決するための手段】
この発明の電子機器のフロントグラス取付構造は、フロントグラスの下方向にシャーシの対向する２縁の間に近接して入り込む凸部を設け、前記フロントグラスを前記凸部がシャーシの前記２縁の間に入り込むようにしてシャーシの上に載置し、前記フロントグラスの少なくとも対向する２縁を全長に亘りシャーシに取付けられるフロントケースとシャーシにより挾持したものである。
【０００８】
また、前記電子機器のフロントグラス取付構造において、フロントグラスとフロントケースとの間にパッキングを介在させたものである。
【０００９】
また、前記各電子機器のフロントグラス取付構造において、ケース内部に配置された光源からケース外部に光を導く光ガイドを前記フロントグラスと一体に形成したものである。
【００１０】
【発明の実施の形態】
この発明の実施例である無線機のフロントグラス取付構造を図面に基づいて説明する。図１はこの発明の第１の実施例である無線機のフロントグラス取付構造の部分を示す分解斜視図、図２は同フロントグラス取付構造を示す断面図である。図に示すフロントグラス２には凸部２ａ、２ａが設けられており、凸部２ａ、２ａがシャーシ１の対向する２縁に入り込むようにしてシャーシ１の上に載置され、フロントケース３がシャーシ１の上に被せられるようにしてシャーシ１に取付けられる。
【００１１】
この状態でフロントグラス２はシャーシ１とフロントケース３に挾持されて固定されシャーシ１の内部に配置されたＬＣＤ４を覆う。ＬＣＤ４に表示された画面はフロントグラス２を通して見ることができる。フロントグラス２に図示の矢印Ｆで示される外力が加わるとフロントグラス２は図２に示す点線で示すように変形するだけで外れない。変形量もシャーシ１と凸部２ａとの間隙が小さいのでシャーシ１により制限されて小さくなる。また、フロントケース３が外力により捩じれてもフロントグラス２が外れることはない。
【００１２】
図３はこの発明の第２の実施例である無線機のフロントグラス取付構造を示す断面図である。この例ではフロントグラス２には凸部２ａ、２ａが設けられており、凸部２ａ、２ａがシャーシ１の対向する２縁に入り込むようにしてシャーシ１の上に載置され、さらに、フロントグラス２の上にパッキング５が載置され、フロントグラスと２パッキング５を挾持するようにフロントケース３がシャーシ１に取付けられる。
【００１３】
このようにフロントグラス２とフロントケース３の間にパッキング５を介在させることによりフロントグラス２とフロントケース３の間が防水構造となる。また、フロントケース３に加えられた衝撃がフロントグラス２に直接に伝えられることが防止される。
【００１４】
図４はこの発明の第３の実施例である無線機のフロントグラス取付構造の部分を示す分解斜視図、図５（ａ）は図４におけるＡ−Ａ断面図、図５（ｂ）は図４におけるＢ−Ｂ断面図である。
【００１５】
この例ではフロントグラス１２に光ガイド１２ａが一体に形成されている。即ち、フロントグラス１２は透明度の高い樹脂で形成されているので、その一部が光ガイドとして利用される。
【００１６】
この例ではフロントグラス１２には凸部１２ｂ、１２ｂが設けられており、凸部１２ｂ、１２ｂがシャーシ６の対向する２縁に入り込むようにしてシャーシ６の前面と上面を覆うように載置され、シャーシ６とフロントケース１１とでフロントグラス１２が挾持される。また、シャーシ６に取付けられたボリュームスイッチ９とチャンネルセレクタ１０の夫々の軸はフロントグラス１２とフロントケース１１の穴を挿通して外部に突出する。
【００１７】
また、図５（ａ）に示すようにプリント基板７に取付けられたＬＥＤ８から放射される光はフロントグラス１２の光ガイド１２ａを通して外部に導かれる。このようにフロントグラス１２の高透明度の性質を利用して光ガイドを一体に形成することにより部品点数を少なくすることができる。そして、部品点数を削減することにより金型のコストや組立て工数を削減して製造コストを安くすることができる。
【００１８】
実施例は以上のように構成されているが発明はこれに限られず、例えば、無線機以外の他の電子機器にこの発明を適用することも可能である。
【００１９】
【発明の効果】
この発明の電子機器のフロントグラス取付構造によれば、フロントグラスが損傷した場合にフロントグラスの交換だけで修理が可能である。また、衝撃がケースやフロントグラスに加えられてもフロントグラスが外れることがない。
【００２０】
さらに、溶着、貼付、接着等によらないので製造工程の管理が簡単であり、組立てのコストも削減されるという効果を得ることができる。
【図面の簡単な説明】
【図１】この発明の第１の実施例である無線機のフロントグラス取付構造の部分を示す分解斜視図である。
【図２】同フロントグラス取付構造を示す断面図である。
【図３】この発明の第２の実施例である無線機のフロントグラス取付構造を示す断面図である。
【図４】この発明の第３の実施例である無線機のフロントグラス取付構造の部分を示す分解斜視図である。
【図５】図５（ａ）は図４におけるＡ−Ａ断面図、図５（ｂ）は図４におけるＢ−Ｂ断面図である。
【図６】従来の無線機のフロントグラス取付構造の例を示す断面図である。
【符号の説明】
１  シャーシ
２  フロントグラス、２ａ  凸部２ａ
３  フロントケース
４  ＬＣＤ
５  パッキング
６  シャーシ、６ａ  穴
７  プリント基板
８  ＬＥＤ
９  ボリュームスイッチ
１０  チャンネルセレクタ
１１  フロントケース
１２  フロントグラス、１２ａ  光ガイド、１２ｂ  凸部
２０  ケース
２１  フロントグラス
【図１】
0003875858.tif 000002
【図２】
0003875858.tif 000003
【図３】
0003875858.tif 000004
【図４】
0003875858.tif 000005
【図５】
0003875858.tif 000006
【図６】
0003875858.tif 000007